(57)【要約】缶その他の容器の蓋上のタブ（8）をその基部の軸（9）の一方の端から他の端まで取り囲む、外周囲線の脆弱部（6）と内周囲線の脆弱部（7）によって境界を限定された蓋の一体部分（3）としてのワイヤーまたはバンド部（5）を備え、リベットを配する為に適当に広げられた１つ以上の箇所（12）を備え、プルリング（2）によりワイヤーまたはバンド部（5）を手で引っ張る際に、‘てこ’として蓋の上の補強点（14）に作用するプルリング（２）を、該プルリング（２）の突出側（１１）で、ワイヤーまたはバンド部（５）を含む蓋（３）の部分と接合する少なくとも１つのリベット（１０）を備えている缶その他の容器の蓋開閉の為のワイヤー・オープナー（1）。
2006522721.tif 000002
【特許請求の範囲】
【請求項１】
缶その他の容器の蓋（3）に接合されたプルリング（2）を手で引くことによって、缶その他の容器の蓋の一部分を開き、開口（４）と成し、開口は容器の内容物を利用可能とすると共に、残りの内容物を保存する場合には保護可能となるようにその後に閉じられる、缶その他の容器の蓋を開閉するワイヤー・オープナー（１）において、缶その他の容器の蓋上のタブ（８）を該タブ（８）の基部の軸（9）の一端から他端まで取り囲む、外周囲線の脆弱部（６）と内周囲線の脆弱部（７）によって境界が限定された蓋（３）の一体部分としてのワイヤーまたはバンド部（５）を備え、‘てこ’として働くプルリング（２）を、該プルリング（２）の突出側（１１）で、ワイヤーまたはバンド部（５）を含む蓋（３）の部分と接合する少なくとも１つのリベット（１０）を備えていることを特徴とする缶その他の容器の蓋を開閉するワイヤー・オープナー。
【請求項２】
蓋（3）の一体部分であるワイヤーまたはバンド部（5）が外周囲線の脆弱部（6）と内周囲線の脆弱部（7）により境界が限定され、リベットを配するのに適するよう広げられた１つ以上の箇所（12）を備えていることを特徴とする請求項1に記載のワイヤー・オープナー。
【請求項３】
外周囲線の脆弱部（6）と内周囲線の脆弱部（7）がその両端で重なる点（13）を持つことを特徴とする請求項1、2に記載のワイヤー・オープナー。
【請求項４】
外周囲線の脆弱部（6）と内周囲線の脆弱部（7）がその両端で重なる点を持たないことを特徴とする請求項1、2に記載のワイヤー・オープナー。
【請求項５】
タブ（８）がその基部にそれに沿って開口（4）の開閉動作を実行する１つの軸（9）を備えていることを特徴とする請求項1から4に記載のワイヤー・オープナー。
【請求項６】
プルリング（2）が、装置を手で引っ張る時に‘てこ’として働く、リング（２）に相対し、リベットの打たれた箇所に向かって突き出す突出側（11）を備えていることを特徴とする請求項1から5に記載のワイヤー・オープナー。
【請求項７】
突出側（11）の‘てこ’が、プルリング（2）によりワイヤーまたはバンド部（５）を手で引っ張る際に、蓋（3）上の補強点（14）に作用することを特徴とする請求項1から6に記載のワイヤー・オープナー。
【請求項８】
１つのリベット（10）が、タブ（8）の基部（15）に相対してワイヤーまたはバンド部（5）の周の中央に配置されていること特徴とする、請求項1から7に記載のワイヤー・オープナー。
【請求項９】
複数のリベット（10）がタブ（8）の基部（15）の軸（9）の両側、かつワイヤーまたはバンド部（5）の周の両端に配置されていることを特徴とする請求項1、2、3、5、6、7に記載のワイヤー・オープナー。
【請求項１０】
プルリング（2）とワイヤーまたはバンド部（5）を含む蓋（3）の一部との接合が通常のリベット打ちの方法で行われていることを特徴とする請求項1から9に記載のワイヤー・オープナー。
【請求項１１】
プルリング（2）が、その空いている側でタブ（8）を受けるのに適したサイズの縁（16）をその内側に持つガイドを備え、いったんワイヤーまたはバンド部（5）が引っ張られると、蓋が外れるバンドの蓋を備えること特徴とする請求項１から１０までのいずれか１つに記載のワイヤー・オープナー。
【請求項１２】
プルリング（2）の構成パーツは、その目的に適した任意の形状を持ちうることを特徴とする請求項１から１１までのいずれか１つに記載のワイヤー・オープナー。
【請求項１３】
ワイヤーまたはバンド部の構成パーツは、目的に適したタブ（8）の形状に応じた任意の形状を持ちうることを特徴とする請求項１から１２までのいずれか１つに記載のワイヤー・オープナー。
【請求項１４】
本装置の構成パーツが、好ましくはブリキまたはプラスチックであるが、十分な硬さを持つ適当な任意の素材でありうること特徴とする請求項１から１３までのいずれか１つに記載のワイヤー・オープナー。
【発明の詳細な説明】
【技術分野】
【０００１】
本発明は、缶その他の容器の蓋に取り付けられたプルリングを手で引くことにより蓋の表面の一部分を開いて開口と成し、容器の内容物を利用可能とし、残った内容物を保存する場合に保護可能となるように、後でその蓋を閉めることによって使用できる、缶その他の容器の蓋開閉の為のワイヤー・オープナーに関するものである。
【０００２】
蓋を開けてから保存するような缶入り製品の例は、よく知られているコンデンス・ミルク、オリーブ、米、アルミ缶入りソフトドリンクなどの食品消費の提示の分野にとどまらず、自動車のエンジンオイルや冷却液などが挙げられる。
【０００３】
本願発明の対象であるワイヤー・オープナーは、内容物がある程度粘度のある液体、またはその粒状構造により注ぐのに適する固体である限り、缶の内容物を開け、更なる消費の為に残った内容物を貯蔵するのに使用することができる。
【背景技術】
【０００４】
現在まで知られているオープナーは、リングやその類似物をリベットにより取り外せないように装置に接合して、リングやその類似物を手で引っ張ることにより、1本の脆弱部線で境界を区切られた蓋の表面の一部分または全部を開け、注ぎ口を覆う小さな板やタブと呼ばれる要素を使えなくするもの、もしくは、それを缶その他の容器の表面の内部に差し込み、後で開けた開口を閉じて原状を回復することが不可能なものであった。
【発明の開示】
【発明が解決しようとする課題】
【０００５】
しかし、小さな板またはタブを手で引っ張ってオープナーを使用した後に、蓋の一部として残り、軸に沿って動く、小さな板またはタブを使用し、注ぎ口を塞ぎ、容器の未消費の内容物の保存を可能にするという解決策を提供する装置は存在しない。
【０００６】
そこで、缶その他の容器、特に液体や固体の食品が入った缶の為に、また、市場において通常缶その他の容器に入れて提供されるその他の内容物の入った容器にとっても同様に、サイズが小さく、材料が安く、用途が多様で実用的であるという長所を備え、また缶その他の容器と一体化されていない他の道具に頼ることなく、小さな板またはタブ自体を封かん要素として使用し、残った内容物を保存する為の蓋の開閉を可能にするような缶その他の容器の開閉の為のワイヤー・オープナーの必要性が存在する。
【課題を解決するための手段】
【０００７】
本願発明において開発されたワイヤー・オープナーは、ワイヤーまたはバンド部を含む缶の蓋の一部と、 ‘てこ’(a lever)として使用されるプルリングとを、リベット側で接合する少なくとも１つのリベットを備え、基部の軸の一方の端から他方の端までを取り囲む大小周囲線の脆弱部により境界を限定された缶その他の容器の蓋の一体部分としてのワイヤーまたはバンド部を備えている。
【０００８】
発明のひとつの側面によると、大小周囲線の脆弱部により境界を限定された蓋の一体部分としてのワイヤーまたはバンド部は、リベットを配するのに適当な大きさに広げた少なくとも１つ以上の箇所を備えている。
【０００９】
また別の側面によると、大小周囲線の脆弱部はその両端に互いに重なる点を有している。
【００１０】
更なる別の側面によると、大小周囲線の脆弱部はその両端に互いに重なる点を有していない。
【００１１】
また別の側面によると、タブはそれに沿って開閉の動作が実行される軸をその基部に備えている。
【００１２】
もうひとつの更なる別の側面によると、プルリングは手動で装置を引っ張った際に‘てこ’として働き、リングに相対し、リベット打ちされた箇所に突出する側を備えている。
【００１３】
更に別の側面によると、‘てこ’はプルリングによりワイヤーまたはバンド部を手で引っ張る際に、蓋の上の補強点に作用する。
【００１４】
更に別の側面によると、１つのリベットはタブの基部に相対して、ワイヤーまたはバンド部の周の中央に配置されている。
【００１５】
また別の側面によると、複数のリベットはタブの基部の軸の両側に、ワイヤーまたはバンド部の周の両端に配置されている。
【００１６】
更なる別の側面によると、プルリングとワイヤーまたはバンド部を含む蓋の部分との接合が通常のリベット打ちにより成されている。
【００１７】
別の側面によると、プルリングは、空いた側でタブを受けるのに適したサイズの縁をその内側に持ったガイドを備え、ワイヤーまたはバンド部がいったん引っ張られると、蓋が外れるバンドの蓋を備えている。
【００１８】
他の側面によると、プルリングの構成パーツはその目的に適した任意の形状を持ちうる。
【００１９】
また別の側面によると、ワイヤーまたはバンド部の構成パーツはその目的に適したタブの形状に応じた任意の形状を持ちうる。
【００２０】
また別の側面によると、この装置を構成パーツは、ブリキまたはプラスチックが好ましいが、十分な硬さを持つ適切な任意の素材でありうる。
【発明を実施するための最良の形態】
【００２１】
説明の簡易化の為に、以下に発明の対象である、食料品缶詰の開蓋および保存の為のワイヤー・オープナーの使用について記述する。
【００２２】
しかしながら、説明図に示された実施形態に本発明が限定されると解釈されるべきではなく、前述の通り容器には他に多くの応用が存在する。
【００２３】
まず、図1,2では、発明の対象たるワイヤー・オープナーが、缶その他の容器の蓋上のタブ（8）の基部（15）の軸（9）の一方の端から他の端までを取り囲む外周囲線の脆弱部（6）と内周囲線の脆弱部（７）により境界を限定された、缶その他の容器の蓋の一体部分としての、ワイヤーまたはバンド部（5）であって、‘てこ’として働くプルリング（2）をその突出側（11）でワイヤーまたはバンド部（5）を含む蓋のある箇所に二つのリベット（10）によって接合されたワイヤーまたバンド部から成ることが観察できる。
【００２４】
図3では、その基部（15）に軸（９）を持ったタブ（8）が缶の蓋（3）上に残ったままで、開口（4）の切れ目と補強点（14）の両方と、リベットを配する為に適当に広げられた2つの箇所（12）が見え、プルリング（2）がワイヤーまたはバンド部（5）とともに手で引っ張られることにより、覆いが外れていることが観察できる。
【００２５】
前記のワイヤー・オープナーの使用は、まずプルリング（2）に指を入れて、それを一気に上方向へ引っ張ることにより行う。
【００２６】
図4、5には、オープナーが引っ張って開けられるまで、２つのリベットにより蓋（３）に接合され、２つのリベット（10）に接合されたワイヤーまたはバンド部（5）と緩く接合されている、プルリング（2）、その突出側（11）、及び内側に縁を有するガイド（16）、といったワイヤー・オープナーの構成パーツが示されている。
【００２７】
いったん引っ張られて分離されると、タブ（8）はその空いている側で、図6に示すようにワイヤー・オープナーの縁を持つガイド（16）の中に入り、プルリング（2）とタブ（8）の接合部は図7に示すようにタブ（8）の基部（15）にある軸（9）に沿った開閉動作により開口（4）の開閉要素として働く。
【００２８】
図8から10は１つのリベットを有する本願発明の対象であるワイヤー・オープナーの第2の実施形態を示している。
【００２９】
図8では、基部（15）に軸（9）を持つタブ（8）が缶（3）の蓋上に残って、開口（4）の切れ目と補強点（14）の両方とリベットを配する為に適当に広げられた1つの箇所（12）が見え、プルリング（2）がワイヤーまたはバンド部（5）とともに手で引っ張られることによって、覆いが外れていることが観察できる。
【００３０】
前記のワイヤー・オープナーを使用するには、前述の実施形態で説明したように、まずプルリング（2）に指を入れそれを一気に上方向へ引っ張ることにより行う。
【００３１】
図9、10では、引っ張られるまで、ひとつのリベットにより蓋（3）に接合され、リベット（10）に接合されたワイヤーまたはバンド部（5）と緩く接合された、プルリング（2）、その突出側（11）、及び内側に縁を持ったガイド（16）、といったワイヤー・オープナーの構成パーツを示している。
【００３２】
いったん引っ張られて分離されると、タブ（8）はその空いている側で、図6に示したのと同じやり方でワイヤー・オープナーの縁を持つガイド（16）の中に入り、プルリング（2）とタブ（8）の接合部はこの実施例でも、図7に示すようにタブ（8）の基部（15）にある軸（9）に沿った開閉動作によって開口（4）の開閉要素としても機能する。
【００３３】
本願発明の対象であるワイヤー・オープナーを缶の開閉の課題の以外に使用することも、上記と同様の方法で開発可能であるのは明らかである。
すなわち、いったん手で上方向へ引っ張り開けられた後、プルリング（2）とタブ（8）の接合部が開口（4）を開閉する要素として機能することで、容器に残った内容物を保存する。
【００３４】
当該発明において下記に挙げるようないくつかの長所をもつワイヤー・オープナーが創造された。それらの長所を挙げると次のとおりである。
（１）構造が簡単で、使用し易い。
（２）一般的かつ汎用性に富み実用的である。
（３）ブリキやプラスチックといった安価な材料を使用している。
（４）未消費の残った内容物を保存するのに連続して使用してもワイヤー・オープナ        ーは最初の使用と同じ完全な美観を呈する。
【００３５】
前の記述は発明の本質的な特徴に焦点を当ててきた。しかし、前述のオープナーは本願発明の要旨から逸脱することなしにその形状、構成の変更が可能である。したがって、発明の範囲は添付の請求項の内容にのみ限定することとする。
【図面の簡単な説明】
【００３６】
【図１】ワイヤーまたはバンド部の両端に、タブの基部に位置する２つのリベットによりプルリングが接合されている缶の蓋の平面図である。
【図２】図1中の蓋の側面図である。
【図３】プルリングとワイヤーまたはバンド部を取り去った状態で、その基部にある開閉動作軸を有する小さな板またはタブと、プルリングレバーの為の補強点を示した平面図である。
【図４】ワイヤーまたはバンド部と、２つの側のリベットと、内側に縁を備えたガイドと、を持つプルリングの平面図である。
【図５】図4のプルリングの側面図である。
【図６】内側に縁を持つガイドで小さな板またはタブを覆ったプルリングとワイヤーまたはバンド部のある缶の蓋の平面図である。
【図７】開口を開けた状態の、内側に縁を持つガイドで小さな板またはタブを覆ったプルリングとワイヤーまたはバンド部のある缶の蓋の側面図である。
【図８】プルリングレバーの為の補強点と、基部に開閉動作の軸を備えた小さな板またはタブと、起こした状態のプルリングとワイヤーまたはバンド部と、を備えた缶の蓋の平面図である。
【図９】中央のリベット、内側に縁を持つガイド、及びワイヤーまたはバンド部を備えたプルリングの平面図である。
【図１０】図9中のプルリングの側面図である。
【符号の説明】
【００３７】
1.ワイヤー・オープナー
2.プルリング
3.蓋
4.開口
5.ワイヤーまたはバンド部
6.外周囲線の脆弱部
7.内周囲線の脆弱部
8.タブ
9.基部の軸
10.リベット
11.突出側
12.リベット用拡大箇所
13.内外周囲線の連結点
14.補強点
15.タブの基部
16.縁を持つガイド
【図１】
2006522721.tif 000003
【図２】
2006522721.tif 000004
【図３】
2006522721.tif 000005
【図４】
2006522721.tif 000006
【図５】
2006522721.tif 000007
【図６】
2006522721.tif 000008
【図７】
2006522721.tif 000009
【図８】
2006522721.tif 000010
【図９】
2006522721.tif 000011
【図１０】
2006522721.tif 000012
【国際調査報告】
2006522721.tif 000013
2006522721.tif 000014
2006522721.tif 000015
2006522721.tif 000016